Podtech/llm-jp-corpus-v4-ja_patent huggingface dataset:
【手続補正書】
【提出日】平成15年7月7日(2003.7.7)
【手続補正１】
【補正対象書類名】明細書
【補正対象項目名】特許請求の範囲
【補正方法】変更
【補正の内容】
【特許請求の範囲】
【請求項１】
遊技に使用される制御装置と、
遊技球を排出する排出機構と、
前記排出機構から排出される遊技球を検出する排出センサとを備え、
前記制御装置が、第一の所定間隔で前記排出センサの出力を検出し、
現在、前回及び前々回の排出センサの出力が、所定の条件を満たすことで排出される遊技球の数を計数する遊技機において、
前記制御装置に供給される電源の異常を検出する電源異常監視手段を設け、
前記制御装置は、前記電源異常監視手段が電源の異常を検出すると、前記第一の所定間隔での排出センサの出力の検出を停止して、前記第一の所定間隔と異なるタイミングで前記排出センサの出力を検出し、現在の排出センサの出力として、前記所定の条件を満たすことを判定することを特徴とする遊技機。
【請求項２】
前記遊技機は、遊技を提供する遊技盤を備え、
前記制御装置には、前記遊技盤において行われる遊技を統括的に制御し、他の制御装置に対して制御指令信号を送信する遊技制御装置を含むことを特徴とする請求項１に記載の遊技機。
【請求項３】
前記制御装置には、前記排出機構を制御する排出制御装置を含むことを特徴とする請求項１又は２に記載の遊技機。
【手続補正２】
【補正対象書類名】明細書
【補正対象項目名】０００８
【補正方法】変更
【補正の内容】
【０００８】
【課題を解決するための手段】
第１の発明は、遊技に使用される制御装置と、遊技球を排出する排出機構と、前記排出機構から排出される遊技球を検出する排出センサとを備え、前記制御装置が、第一の所定間隔で前記排出センサの出力を検出し、現在、前回及び前々回の排出センサの出力が、所定の条件を満たすことで排出される遊技球の数を計数する遊技機において、前記制御装置に供給される電源の異常を検出する電源異常監視手段を設け、前記制御装置は、前記電源異常監視手段が電源の異常を検出すると、前記第一の所定間隔での排出センサの出力の検出を停止して、前記第一の所定間隔と異なるタイミングで前記排出センサの出力を検出し、現在の排出センサの出力として、所定の条件を満たすことを判定することを特徴とする。


【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】変更
【補正の内容】
【００１５】
【発明の作用および効果】
第１の発明では電源に異常が生じると、排出センサの状態を検出し、この出力を検出する（読み込む）ように構成したので、電源が遮断（瞬断）しても排出球数を正確に計数し、未排出球数を正確にバックアップメモリに記憶して、球数の正確な管理をすることができる。


【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００４５
【補正方法】変更
【補正の内容】
【００４５】
また、遊技制御装置１００は、賞球排出が正確に行われているかを監視する。具体的には、排出制御装置２００へ賞球制御指令信号として送信した排出を指令した賞球数と、後述する賞球検出センサ７１３Ａ、７１３Ｂにより計数された実際の排出数が一致するかの監視及び賞球排出指令が送信されていないにも拘わらず賞球排出がなされていないかの監視を行う。賞球排出指令信号が送信されていないにも拘わらず、賞球排出がされている等の異常が認められたときは、異常対応処理を行う。例えば、枠用外部情報出力部４２から異常検出信号をホールコンピュータに出力し、装飾制御装置３００に装飾制御指令信号を送信して、賞球異常報知ＬＥＤ３１を点滅させて異常を報知する。あるいは、遊技制御の停止、打球発射の停止等により、遊技を強制的に中止させる。排出制御装置２００には、排出された球を検出する排出センサからの検出信号が入力される。具体的には、排出ユニット６００から賞球として排出された球を検出する賞球検出センサ７１３Ａ、７１３Ｂの各検出信号と、排出ユニット６００から貸球として排出された球を検出する貸球検出センサ７１４Ａ、７１４Ｂの各検出信号とが入力される。そして、排出制御装置２００は、賞球制御指令信号に基づいて、排出ユニット６００からの遊技球排出および流路切換ユニット７００における流路切換を制御する。また排出制御装置２００には、遊技制御装置１００からの賞球制御指令信号とは別に、カードユニット２から貸球制御指令信号が入力される。排出制御装置２００は、賞球制御指令及び貸球制御指令信号に基づいて排出ユニット６００を制御し、排出センサ（賞球検出センサ７１３Ａ、７１３Ｂ、貸球検出センサ７１４Ａ、７１４Ｂ）の検出信号を用いて、賞球及び貸球の排出を行う。


【手続補正１２】
【補正対象書類名】明細書
【補正対象項目名】００５５
【補正方法】変更
【補正の内容】
【００５５】
割込処理（Ｓ５）により排出フラグがセット（”１”）されたならば、１個の賞球が排出されたので、確認カウンタから１を減じ（Ｓ７）、排出フラグをクリア（”０”）する（Ｓ８）。その後、遊技制御装置１００のメイン処理の最初に戻り、繰り返しメイン処理を行う。
【手続補正書】
【提出日】平成15年8月6日(2003.8.6)
【手続補正１】
【補正対象書類名】明細書
【補正対象項目名】特許請求の範囲
【補正方法】変更
【補正の内容】
【特許請求の範囲】
【請求項１】
遊技者が所定の遊技を行い、遊技に応じてあらかじめ決められた個数の遊技媒体が景品として払い出される遊技機であって、
遊技の進行を制御し、入賞があると賞球個数を指示する払出制御指令を送信する遊技制御手段と、
遊技媒体の払い出しを行う払出手段と、
前記払出手段から払い出された遊技媒体を検出する賞球カウントスイッチと、 前記遊技制御手段から受信した複数の払出制御指令に応じた遊技媒体の払い出しを各払出制御指令毎に区切ることなく連続的に行うように、前記払出手段を制御するとともに、遊技者の貸出操作に基づいて発生する貸出要求に応じて遊技媒体を貸し出すための払出制御を行う払出制御手段とを備え、
前記払出制御手段は、
払出制御に基づく遊技媒体の払出数が設定される払出カウンタと、
前記遊技制御手段から賞球個数を指示する払出制御指令を受信すると、賞球個数の未払出総数を記憶する払出予定数カウンタに、指示された賞球個数を加算する加算手段と、
前記賞球カウントスイッチが遊技媒体を検出すると前記払出予定数カウンタの値および前記払出カウンタの値を１減算する減算手段と、
遊技媒体の払出中でないときに、所定の最大値以上の払出可能な遊技媒体が確保されていることを条件に、前記払出予定数カウンタの値が未払出の賞球個数があることを示していたら、該未払出の賞球個数の範囲内で前記所定の最大値を限度として連続払出数を前記払出カウンタに設定する連続払出設定手段と、
前記連続払出設定手段が前記払出カウンタに連続払出数を設定したら前記払出手段の動作を開始させる払出動作開始手段と、
前記払出カウンタの値が０になるまで連続的な払出制御を行い、連続的な払出制御が終了したら前記払出手段の動作を停止させる連続払出制御手段と、
前記連続払出制御手段による連続的な払出制御の完了前に貸出要求が入力された場合は、当該連続的な払出制御を完了させたあと、貸出要求に基づく遊技媒体の払出制御を開始させる貸出要求制御手段とを含む
ことを特徴とする遊技機。
【請求項２】
遊技者が所定の遊技を行い、遊技に応じてあらかじめ決められた個数の遊技媒体が景品として払い出される遊技機であって、
遊技の進行を制御し、入賞があると賞球個数を指示する払出制御指令を送信する遊技制御手段と、
遊技媒体の払い出しを行う払出手段と、
前記払出手段から払い出された遊技媒体を検出する賞球カウントスイッチと、 前記遊技制御手段から受信した複数の払出制御指令に応じた遊技媒体の払い出しを各払出制御指令毎に区切ることなく連続的に行うように、前記払出手段を制御するとともに、遊技者の貸出操作に基づいて発生する貸出要求に応じて遊技媒体を貸し出すための払出制御を行う払出制御手段とを備え、
前記払出制御手段は、
払出制御に基づく遊技媒体の払出数を計数するための払出カウンタと、
前記遊技制御手段から賞球個数を指示する払出制御指令を受信すると、賞球個数の未払出総数を記憶する払出予定数カウンタに、指示された賞球個数を加算する加算手段と、
前記賞球カウントスイッチが遊技媒体を検出すると前記払出予定数カウンタの値を１減算するとともに前記払出カウンタの値を１加算する加減算手段と、
前記払出カウンタの値が０であり、かつ、所定の最大値以上の払出可能な遊技媒体が確保されていることを条件に、前記払出予定数カウンタの値が未払出の賞球個数があることを示していたら、前記払出手段の動作を開始させる払出動作開始手段と、
前記払出カウンタの値が、前記未払出の賞球個数の範囲内で前記所定の最大値を限度とする連続払出数になるまで連続的な払出制御を行い、連続的な払出制御が終了したら前記払出カウンタの値を０にするとともに前記払出手段の動作を停止させる連続払出制御手段と、
前記連続払出制御手段による連続的な払出制御の完了前に貸出要求が入力された場合は、当該連続的な払出制御を完了させたあと、貸出要求に基づく遊技媒体の払出制御を開始させる貸出要求制御手段とを含む
ことを特徴とする遊技機。
【請求項３】
連続払出数の最大値は、一の払出制御指令に応じた遊技媒体の最大払出数よりも多い値である
ことを特徴とする請求項１または請求項２記載の遊技機。
【請求項４】
連続払出数の最大値は、貸出指令に基づく遊技媒体の払出一単位以上の値である
ことを特徴とする請求項１ないし請求項３記載の遊技機。
【手続補正２】
【補正対象書類名】明細書
【補正対象項目名】０２６１
【補正方法】変更
【補正の内容】
【０２６１】
ステップＳ５５２にて賞球払出中であれば、または、ステップＳ５５８にて払出モータがオンされると、払出制御用ＣＰＵ３７１は、賞球払出処理を行う（ステップＳ５５９）。賞球払出処理では、払出モータ２８９がオンしていなければオンするとともに、賞球カウントスイッチ３０１Ａの検出出力によって遊技球の払出がなされたか否かの確認を行う。そして、１個の払出が行われたことを確認したら（ステップＳ５６０）、払出カウンタのカウント値を＋１すると共に賞球総数カウンタのカウント値を−１する（ステップＳ５６１，Ｓ５６２）。また、賞球総数カウンタのカウント値が０でないことを確認すると（ステップＳ５６３）、払出制御用ＣＰＵ３７１は、払出カウンタのカウント値が２５であれば（ステップＳ５６４）、払出カウンタをリセットすると共に払出モータ２８９をオフする（ステップＳ５６５、Ｓ５６６）。そして、賞球処理中フラグをオフする（ステップＳ５６７）。
【手続補正書】
【提出日】平成15年6月27日(2003.6.27)
【手続補正１】
【補正対象書類名】明細書
【補正対象項目名】特許請求の範囲
【補正方法】変更
【補正の内容】
【特許請求の範囲】
【請求項１】
冷却剤流体を圧縮すること、前記冷却剤流体を冷却するために前記冷却材流体を膨張すること、及び、前記冷却剤流体を温めることによって冷却受容体を冷却すること、から成る前記冷却受容体を冷却するための方法であって：
（Ａ）前記冷却剤流体として多成分冷却剤を使用すること；
（Ｂ）前記冷却剤流体の圧縮のために、ポリアルファオレフィンベースのオイルによって潤滑されたコンプレッサーを使用すること；及び、
（Ｃ）前記冷却剤流体を２２０Ｋより低い温度に冷却すること、
を特徴とする前記冷却受容体を冷却するための方法。
【請求項２】
前記ポリアルファオレフィンベースのオイルが、前記多成分冷却剤を膨張させる前に、圧縮された前記多成分冷却剤から分離され、さらに、前記分離されたオイルが前記コンプレッサーに戻される、請求項１に記載の方法。
【請求項３】
前記冷却剤流体を温めることによって前記冷却受容体を冷却する前記工程が、膨張させる前の、圧縮された前記多成分冷却剤を冷却するためにも利用される、請求項１に記載の方法。
【請求項４】
前記多成分冷却剤がフルオロカーボン、ヒドロフルオロカーボン、ヒドロクロロフルオロカーボン、フルオロエーテル、ヒドロフルオロエーテル、大気ガス、及び炭化水素から成るグループからの、少なくとも２つの成分から成る、請求項１に記載の方法。
【請求項５】
前記多成分冷却剤がフルオロカーボンだけから成る、請求項４に記載の方法。
【請求項６】
前記多成分冷却剤がヒドロフルオロエーテルだけから成る、請求項４に記載の方法。
【請求項７】
前記多成分冷却剤が少なくとも１つの大気ガスを含む、請求項１に記載の方法。
【請求項８】
冷却するための装置であって：
（Ａ）オイルで潤滑されたコンプレッサー、オイル分離システム、多成分冷却剤を前記コンプレッサーから前記オイル分離システムへ送るための手段、及び、前記オイルを前記オイル分離システムから前記コンプレッサーへ送るための手段；
（Ｂ）膨張装置、熱交換器、前記多成分冷却剤を前記オイル分離システムから前記膨張装置へ、前記膨張装置から前記熱交換器へ、さらに、前記熱交換器から前記コンプレッサーへ送るための手段；及び、
（Ｃ）冷却受容体を前記熱交換器に供給し、前記多成分冷却剤との熱交換によって前記冷却受容体を冷却するための手段、
から成る装置。
【請求項９】
前記オイル分離システムがバルクオイル分離器及び、少なくとも１つの凝集フィルターから成る、請求項８に記載の装置。
【請求項１０】
前記オイルがポリアルファオレフィンベースのオイルである、請求項８に記載の装置。
【手続補正書】
【提出日】平成15年9月29日(2003.9.29)
【手続補正１】
【補正対象書類名】明細書
【補正対象項目名】特許請求の範囲
【補正方法】変更
【補正の内容】
【特許請求の範囲】
【請求項１】
アームの先端部にバケットシリンダを連結ピンに連結し、この連結ピンには、他端がアーム側板に連結した第１のリンク部材と、他端がバケットを含むフロントアタッチメントに連結される第２のリンク部材とを連結することによって、前記フロントアタッチメントをバケットシリンダにより作動可能にアームに連結する構造において、前記アームの上面に設けられ、前記第２のリンク部材の他端部におけるピン孔と同径のピン孔を有するリンク固定用ブラケットと、前記リンク固定用ブラケットのピン孔と前記第２のリンク部材の他端部のピン孔とに挿通されるピンとで構成したことを特徴とする建設機械のバケット取付リンク固定構造。
【請求項２】
前記リンク固定用ブラケットは前記アーム上板に着脱可能に取り付けたことを特徴とする請求項１記載の建設機械のバケット取付リンク固定構造。
【手続補正２】
【補正対象書類名】明細書
【補正対象項目名】００１１
【補正方法】変更
【補正の内容】
【００１１】
【課題を解決するための手段】
前述した目的を達成するために、本発明は、アームの先端部にバケットシリンダを連結ピンに連結し、この連結ピンには、他端がアーム側板に連結した第１のリンク部材と、他端がバケットを含むフロントアタッチメントに連結される第２のリンク部材とを連結することによって、前記フロントアタッチメントをバケットシリンダにより作動可能にアームに連結する構造であって、前記アームの上面に設けられ、前記第２のリンク部材の他端部におけるピン孔と同径のピン孔を有するリンク固定用ブラケットと、前記リンク固定用ブラケットのピン孔と前記第２のリンク部材の他端部のピン孔とに挿通されるピンとで構成したことをその特徴とするものである。
【手続補正書】
【提出日】平成15年12月22日(2003.12.22)
【手続補正１】
【補正対象書類名】明細書
【補正対象項目名】発明の名称
【補正方法】変更
【補正の内容】
【発明の名称】燃焼式排ガス処理装置


【手続補正２】
【補正対象書類名】明細書
【補正対象項目名】特許請求の範囲
【補正方法】変更
【補正の内容】
【特許請求の範囲】
【請求項１】
水素ガス及び酸素ガスを生成する水の電気分解装置、並びに水の電気分解装置により発生された水素ガス及び酸素ガスから燃焼火炎を形成するバーナ部を備え、前記水の電気分解装置及びバーナ部は１つの筐体内に設けられ、前記水素ガスと前記酸素ガスは前記燃焼火炎形成に供給されることを特徴とする燃焼式排ガス処理装置。
【請求項２】
請求項１に記載の燃焼式排ガス処理装置において、
前記燃焼火炎に排ガスを導入し排ガスの加熱・酸化分解を行う燃焼室が前記バーナ部の下流に設けられることを特徴とする燃焼式排ガス処理装置。
【請求項３】
水の電気分解装置並びにバーナ部及びバーナ部の下流側に位置される燃焼室を備え、該バーナ部に前記水の電気分解装置により得られた水素ガス及び酸素ガスからなる予混合燃料ガスを供給し、前記バーナ部より前記燃焼室に向けて燃焼火炎を形成し、該燃焼火炎に排ガスを導入し該排ガスを酸化分解させる燃焼式排ガス処理装置であって、
燃焼火炎の上流側のバーナ部の壁に燃焼火炎を検出するＵＶセンサを備えることを特徴とする燃焼式排ガス処理装置。
【請求項４】
水の電気分解装置並びにバーナ部及びバーナ部の下流側に位置される燃焼室を備え、前記バーナ部に前記水の電気分解装置により得られた水素ガス及び酸素ガスからなる予混合燃料ガスを供給し、前記バーナ部より前記燃焼室に向けて燃焼火炎を形成し、該燃焼火炎に排ガスを導入し該排ガスを酸化分解させる燃焼式排ガス処理装置であって、
前記予混合燃料ガスはバーナ部内壁面に開口するノズル口を通して前記バーナ部へ供給され、該ノズル口は３個以上接近してノズル口群を形成することを特徴とする燃焼式排ガス処理装置。
【手続補正３】
【補正対象書類名】明細書
【補正対象項目名】０００６
【補正方法】変更
【補正の内容】
【０００６】
【課題を解決するための手段】
上記課題を解決するため請求項１に記載の発明は、水素ガス及び酸素ガスを生成する水の電気分解装置、並びに水の電気分解装置により発生された水素ガス及び酸素ガスから燃焼火炎を形成するバーナ部を備え、水の電気分解装置及びバーナ部は１つの筐体内に設けられ、水素ガスと酸素ガスは燃焼火炎形成に供給されることを特徴とする燃焼式排ガス処理装置にある。
【手続補正４】
【補正対象書類名】明細書
【補正対象項目名】０００７
【補正方法】変更
【補正の内容】
【０００７】
請求項２に記載の発明は、請求項１に記載の燃焼式排ガス処理装置において、燃焼火炎に排ガスを導入し排ガスの加熱・酸化分解を行う燃焼室が前記バーナ部の下流に設けられることを特徴とする。


【手続補正５】
【補正対象書類名】明細書
【補正対象項目名】０００８
【補正方法】変更
【補正の内容】
【０００８】
請求項３に記載の発明は、水の電気分解装置並びにバーナ部及びバーナ部の下流側に位置される燃焼室を備え、該バーナ部に水の電気分解装置により得られた水素ガス及び酸素ガスからなる予混合燃料ガスを供給し、バーナ部より燃焼室に向けて燃焼火炎を形成し、該燃焼火炎に排ガスを導入し該排ガスを酸化分解させる燃焼式排ガス処理装置であって、燃焼火炎の上流側のバーナ部の壁に燃焼火炎を検出するＵＶセンサを備えることを特徴とする。


【手続補正６】
【補正対象書類名】明細書
【補正対象項目名】０００９
【補正方法】変更
【補正の内容】
【０００９】
請求項４に記載の発明は、水の電気分解装置並びにバーナ部及びバーナ部の下流側に位置される燃焼室を備え、バーナ部に水の電気分解装置により得られた水素ガス及び酸素ガスからなる予混合燃料ガスを供給し、バーナ部より燃焼室に向けて燃焼火炎を形成し、該燃焼火炎に排ガスを導入し該排ガスを酸化分解させる燃焼式排ガス処理装置であって、予混合燃料ガスはバーナ部内壁面に開口するノズル口を通してバーナ部へ供給され、該ノズル口は３個以上接近してノズル口群を形成することを特徴とする。


【手続補正７】
【補正対象書類名】明細書
【補正対象項目名】００１０
【補正方法】変更
【補正の内容】
【００１０】
上記のように水の電気分解装置を設け、水の電気分解により水素ガスと酸素ガスを発生させ、該発生した水素ガスと酸素ガスの混合ガスをバーナ部に供給するので、外部から酸化剤ガスの供給が不要である。水の電気分解装置をバーナ部の可能な限り近傍に配置して、水素と酸素の生成比での混合ガスをバーナ部に供給すれば配管が短くて済むと共に、水素ガスと酸素ガスを別々のラインで供給する必要がないので、配管の構成が単純となり敷設費用が安価となる。


【手続補正８】
【補正対象書類名】明細書
【補正対象項目名】００１１
【補正方法】変更
【補正の内容】
【００１１】
勿論、２種のガスを別ラインでバーナ部に供給し二重ノズル構造のバーナ等で混合燃焼すること等を妨げない。また、配管が短いことから、水素ガスや酸素ガスがリークする可能性が低下する。短い配管内においては、着火の可能性は低く、実施においてノズルからの逆火に構造的又は運用的に留意することは言うをまたない。また、水を電気分解してその場で燃料とするので、余剰の可燃性ガスを保留せず、緊急時には水の電気分解装置の運転を停止することで即応が可能であるから安全であると共に、運転コストが安価になる。


【手続補正９】
【補正対象書類名】明細書
【補正対象項目名】００２３
【補正方法】変更
【補正の内容】
【００２３】
【発明の効果】
以上、説明したように各請求項に記載の発明によれば、水素ガス及び酸素ガスを生成する水の電気分解装置、並びに水の電気分解装置により発生された水素ガス及び酸素ガスから燃焼火炎を形成するバーナ部を備え、水の電気分解装置及びバーナ部は１つの筐体内に設けられ、水素ガスと酸素ガスは、燃焼火炎形成に供給されるので、外部から酸化剤ガスの供給が不要である。水の電気分解装置をバーナ部の可能な限り近傍に配置して、水素と酸素の生成比での混合ガスをバーナ部に供給すれば配管が短くて済むと共に、水素ガスと酸素ガスを別々のラインで供給する必要がないので、配管の構成が単純となり敷設費用が安価となる。
【手続補正書】
【提出日】平成15年6月18日(2003.6.18)
【手続補正１】
【補正対象書類名】明細書
【補正対象項目名】０００３
【補正方法】変更
【補正の内容】
【０００３】
従来の除湿空調装置について図７及び図８に沿って説明する。１はブロアであり、大気を除湿ローター２の吸着ゾーン３へ送る。これによって空気は温度が上昇するとともに乾燥空気となる。ここで除湿ローター２は、ハニカム（蜂の巣）状に形成された紙にシリカゲルやゼオライトなどの吸湿剤を担持したものであり、モーター１３によってベルト１２を介して回転駆動されるものである。


【手続補正２】
【補正対象書類名】明細書
【補正対象項目名】０００４
【補正方法】変更
【補正の内容】
【０００４】
除湿ローター２の吸着ゾーン３を出た空気は、顕熱交換ローター４の吸熱ゾーン５を通過し、これによって乾燥空気の温度が下がる。ここで顕熱交換ローター４は、ハニカム状に形成されたアルミ箔や合成樹脂フィルムによって構成されたものであり、モーター１４によってベルト１５を介して回転駆動されるものである。ここで図８は除湿ローター２及び顕熱交換ローター４の斜視図であり、除湿ローター２及び顕熱交換ローター４は互いに全く同一の形状であるため、両者を同一の図８で兼用して表す。


【手続補正３】
【補正対象書類名】明細書
【補正対象項目名】００２２
【補正方法】変更
【補正の内容】
【００２２】
またモーター１４に通電することよってベルト１２を介して顕熱交換ローター４を回転駆動する。すると外気はブロア１に吸引されてブロア１に入り、ブロア１に押し出されて除湿ローター２の吸着ゾーン３に入る。


【手続補正４】
【補正対象書類名】図面
【補正対象項目名】図１
【補正方法】変更
【補正の内容】
【図１】
2002061894.tif 000001
【手続補正５】
【補正対象書類名】図面
【補正対象項目名】図２
【補正方法】変更
【補正の内容】
【図２】
2002061894.tif 000002
【手続補正書】
【提出日】平成15年9月8日(2003.9.8)
【手続補正１】
【補正対象書類名】明細書
【補正対象項目名】００９８
【補正方法】変更
【補正の内容】
【００９８】
このように本発明の実施の形態２３の空気供給装置によれば、下方に向け空気を噴出する噴出口２２Ａを有し、衣類等を掛けるハンガーが脱着可能なパイプ２３Ａを複数設けた噴出手段２５Ａを収納できる形状で天井等に設けられる収納ケース５８と、この収納ケース５８に噴出手段２５Ａを昇降自在に吊下げる吊下手段５９とを備え、噴出手段２５Ａを不使用時には収納ケース５８内に収納できるように端末装置１０Ｒとなる衣類乾燥装置６０を構成したので、噴出手段２５Ａのみを昇降することができ、取扱い性が良くなるとともに、不使用時には天井等へ収納可能となり邪魔にならなく、噴出手段２５Ａが下降した状態で乾燥が可能となる。


【手続補正２】
【補正対象書類名】図面
【補正対象項目名】図２８
【補正方法】変更
【補正の内容】
【図２８】
2002061882.tif 000001
【手続補正３】
【補正対象書類名】図面
【補正対象項目名】図３８
【補正方法】変更
【補正の内容】
【図３８】
2002061882.tif 000002
【手続補正書】
【提出日】平成15年11月7日(2003.11.7)
【手続補正１】
【補正対象書類名】明細書
【補正対象項目名】特許請求の範囲
【補正方法】変更
【補正の内容】
【特許請求の範囲】
【請求項１】
画像形成部によって形成される互いに色の異なる複数のトナー像を、中間転写体上に多重に一次転写した後、当該中間転写体上に多重に一次転写された互いに色の異なる複数のトナー像を、二次転写部で記録媒体上に一括して二次転写することにより、画像を形成する画像形成装置において、
前記記録媒体を中間転写体の二次転写部に案内する案内部材に、当該記録媒体を屈曲させる屈曲部を複数設けたことを特徴とする画像形装置。
【請求項２】
前記記録媒体を中間転写体の二次転写部に案内する案内部材に、当該記録媒体を中間転写体側へ屈曲させる第１の屈曲部と、記録媒体を二次転写ロール側へ屈曲させる第２の屈曲部を設けたことを特徴とする請求項１記載の画像形成装置。
【請求項３】
前記記録媒体を中間転写体の二次転写部に案内する案内部材に、記録媒体を略Ｓ字形状に屈曲させる屈曲部を設けたことを特徴とする請求項１記載の画像形成装置。
【請求項４】
前記案内部材が記録媒体を案内する方向が、略鉛直方向上向きの搬送路に沿った方向であることを特徴とする請求項１又は２記載の画像形成装置。
【請求項５】
前記案内部材のうち、中間転写体側に位置する案内部材の先端部は、当該中間転写体となす角度が４０度以下に設定されており、かつ中間転写体側に位置する案内部材の先端が、二次転写部から離間して配置されていることを特徴とする請求項１乃至４のいずれかに記載の画像形成装置。
【請求項６】
画像形成部によって形成される互いに色の異なる複数のトナー像を、中間転写体上に多重に一次転写した後、当該中間転写体上に多重に一次転写された互いに色の異なる複数のトナー像を、二次転写ロールを突き当て部材に押圧させた二次転写部で記録媒体上に一括して二次転写することにより、画像を形成する画像形成装置において、
前記二次転写ロールを対向部材に突き当てる突当力を、坪量が８０ｇｍｓ以下の記録媒体が二次転写部に突入したときに、当該二次転写ロールの突き当て部が離間する力より大きく、かつ、坪量が１６０ｇｍｓ以上の記録媒体が二次転写部に突入したときに、当該二次転写ロールの突き当て部が離間する力よりは小さく設定したことを特徴とする画像形成装置。
【請求項７】
画像形成部によって形成される互いに色の異なる複数のトナー像を、記録媒体上に転写することにより画像を形成する画像形成装置において、
前記記録媒体を転写部に案内する案内部材に、当該記録媒体を屈曲させる屈曲部を設けたことを特徴とする画像形装置。
【手続補正２】
【補正対象書類名】明細書
【補正対象項目名】００１３
【補正方法】変更
【補正の内容】
【００１３】
また、請求項６に記載された発明は、画像形成部によって形成される互いに色の異なる複数のトナー像を、中間転写体上に多重に一次転写した後、当該中間転写体上に多重に一次転写された互いに色の異なる複数のトナー像を、二次転写ロールを突き当て部材に押圧させた二次転写部で記録媒体上に一括して二次転写することにより、画像を形成する画像形成装置において、前記二次転写ロールを対向部材に突き当てる突当力を、坪量が８０ｇｍｓ以下の記録媒体が二次転写部に突入したときに、当該二次転写ロールの突き当て部が離間する力より大きく、かつ、坪量が１６０ｇｍｓ以上の記録媒体が二次転写部に突入したときに、当該二次転写ロールの突き当て部が離間する力よりは小さく設定したことを特徴とする画像形成装置である。
さらに、請求項７に記載された発明は、画像形成部によって形成される互いに色の異なる複数のトナー像を、記録媒体上に転写することにより画像を形成する画像形成装置において、前記記録媒体を転写部に案内する案内部材に、当該記録媒体を屈曲させる屈曲部を設けたことを特徴とする画像形装置である。
【手続補正書】
【提出日】平成15年8月12日(2003.8.12)
【手続補正１】
【補正対象書類名】明細書
【補正対象項目名】発明の名称
【補正方法】変更
【補正の内容】
【発明の名称】卓上切断機
【手続補正２】
【補正対象書類名】明細書
【補正対象項目名】特許請求の範囲
【補正方法】変更
【補正の内容】
【特許請求の範囲】
【請求項１】
加工材を載置するベースと、ベースに水平方向へ回動自在なターンテーブルを嵌合し、ターンテーブル上方に切断工具を有する切断工具部を上下揺動自在に設けた卓上切断機において、ベース上に設けた支持部材に傾斜フェンスを回動自在に設けたことを特徴とする卓上切断機。
【請求項２】
前記ベース上面で傾斜フェンスに対向し、かつ傾斜フェンスに向けて前後移動自在なストッパを設けたことを特徴とする請求項１記載の卓上切断機。
【請求項３】
前記傾斜フェンスの回動支点は、該傾斜フェンスの上方側に設けられ、回動支点を中心とした該傾斜フェンスの回動によって該傾斜フェンスの下端部側が前記支持部材から離間可能であることを特徴とする請求項１記載の卓上切断機。
【請求項４】
前記傾斜フェンスには、該傾斜フェンスの回動支点を中心とする円弧形状をした長穴が設けられていると共に、前記支持部材には、前記長穴内に貫通する固定ボルトが設けられていることを特徴とする請求項１記載の卓上切断機。
【手続補正書】
【提出日】平成15年8月8日(2003.8.8)
【手続補正１】
【補正対象書類名】明細書
【補正対象項目名】特許請求の範囲
【補正方法】変更
【補正の内容】
【特許請求の範囲】
【請求項１】
加工材を載置するベ−ス部上面に加工材を支持するフェンスを設け、ベース部上方に切断刃物を有する切断刃物本体を設けた切断機において、ベ−ス部上面に緩衝体を設けたことを特徴とする切断機。
【請求項２】
加工材を載置するベ−ス部上面に加工材を支持するフェンスを設け、ベース部上方に切断刃物を有する切断刃物本体を設けた切断機において、フェンス面に緩衝体を設けたことを特徴とする切断機。
【手続補正書】
【提出日】平成15年6月17日(2003.6.17)
【手続補正１】
【補正対象書類名】明細書
【補正対象項目名】特許請求の範囲
【補正方法】変更
【補正の内容】
【特許請求の範囲】
【請求項１】
複数のネットワークプロトコルに対応し、前記複数のネットワークプロトコルのそれぞれに１または複数のプリンタ名を対応付けて記憶するプリンタであって、前記複数のネットワークプロトコル中の特定のネットワークプロトコルによってホストコンピュータから所定の処理要求を受け取った場合に、前記特定のネットワークプロトコルに対応付けられたプリンタ名を表示することを特徴とするプリンタ。
【請求項２】
前記所定の処理要求は、印刷要求または問い合わせ要求であることを特徴とする請求項１記載のプリンタ。
【請求項３】
前記所定の処理要求が問い合わせ要求であり、かつ、前記特定のネットワークプロトコルに複数のプリンタ名が対応付けられている場合に、前記複数のプリンタ名を表示することを特徴とする請求項２記載のプリンタ。
【請求項４】
複数のネットワークプロトコルに対応可能な通信手段と、前記複数のネットワークプロトコルのそれぞれに１または複数のプリンタ名を対応付けて記憶する記憶手段と、ホストコンピュータから送出される通信データに基づいて、ネットワークプロトコルを判別する判別手段と、前記判別手段によって判別されたネットワークプロトコルに基づいて、前記記憶手段に記憶されたプリンタ名を選択する選択手段と、前記選択手段により選択されたプリンタ名を所定の表示領域に表示する表示手段とを備えたことを特徴とするプリンタ。
【請求項５】
前記判別手段は、前記ホストコンピュータから送出される通信データが印刷要求であるか問い合わせ要求であるかを判別する要求判別手段を備えたことを特徴とする請求項４記載のプリンタ。
【請求項６】
前記表示手段は、前記要求判別手段によって前記通信データが問い合わせ要求であると判別され、かつ、前記選択手段によってプリンタ名が複数選択された場合に、前記選択された複数のプリンタ名を前記所定の表示領域に順次表示するように構成したことを特徴とする請求項４記載のプリンタ。
【請求項７】
前記表示手段は、前記ネットワークプロトコルとプリンタ名とを対応付けて表示することを特徴とする請求項４乃至６のいずれか一項に記載のプリンタ。
【請求項８】
前記記憶手段は、前記１または複数のプリンタ名が使用可能状態に関する情報を対応付けて記憶し、前記表示手段は、前記プリンタ名に対応付けて前記使用可能状態に関する情報を表示することを特徴とする請求項４乃至７のいずれか一項に記載のプリンタ。
【請求項９】
複数のネットワークプロトコルに対応し、前記複数のネットワークプロトコルのそれぞれに１または複数のプリンタ名を対応付けて記憶するプリンタに設けられた表示パネルの表示方法であって、前記複数のネットワークプロトコル中の特定のネットワークプロトコルによってホストコンピュータから所定の処理要求を受け取った場合に、前記特定のネットワークプロトコルに対応付けられたプリンタ名を表示することを特徴とする表示パネルの表示方法。
【手続補正書】
【提出日】平成15年12月22日(2003.12.22)
【手続補正１】
【補正対象書類名】明細書
【補正対象項目名】特許請求の範囲
【補正方法】変更
【補正の内容】
【特許請求の範囲】
【請求項１】
ポリッシング対象物と摺接するターンテーブル上の研磨面のドレッシングを行うドレッシング装置において、
前記研磨面に接触して研磨面のドレッシングを行うドレッサー本体と、該ドレッサー本体をターンテーブルの研磨面に対して押圧する押圧手段と、前記ドレッサー本体の姿勢を制御する姿勢制御手段とを設けたことを特徴とするドレッシング装置。
【請求項２】
前記姿勢制御手段は、電磁気力により前記ドレッサー本体の姿勢を制御することを特徴とする請求項１に記載のドレッシング装置。
【請求項３】
前記姿勢制御手段は、前記研磨面の状態を計測した結果に基づいて前記ドレッサー本体の姿勢を制御することを特徴とする請求項１に記載のドレッシング装置。
【請求項４】
ポリッシング対象物と摺接する研磨面を有するターンテーブルと、前記研磨面のドレッシングを行うドレッシング装置とを備えたポリッシング装置において、
前記研磨面に接触して研磨面のドレッシングを行うドレッサー本体と、該ドレッサー本体をターンテーブルの研磨面に対して押圧する押圧手段と、前記ドレッサー本体の姿勢を制御する姿勢制御手段とを設けたことを特徴とするポリッシング装置。
【請求項５】
前記姿勢制御手段は、前記研磨面の状態を計測した結果に基づいて前記ドレッサー本体の姿勢を制御することを特徴とする請求項４に記載のポリッシング装置。
【手続補正２】
【補正対象書類名】明細書
【補正対象項目名】０００７
【補正方法】変更
【補正の内容】
【０００７】
【課題を解決するための手段】
上述した目的を達成するため、本発明のドレッシング装置は、ポリッシング対象物と摺接するターンテーブル上の研磨面のドレッシングを行うドレッシング装置において、前記研磨面に接触して研磨面のドレッシングを行うドレッサー本体と、該ドレッサー本体をターンテーブルの研磨面に対して押圧する押圧手段と、前記ドレッサー本体の姿勢を制御する姿勢制御手段とを設けたことを特徴とするものである。前記姿勢制御手段は、電磁気力により前記ドレッサー本体の姿勢を制御することができる。
【手続補正３】
【補正対象書類名】明細書
【補正対象項目名】０００８
【補正方法】変更
【補正の内容】
【０００８】
また本発明のポリッシング装置は、ポリッシング対象物と摺接する研磨面を有するターンテーブルと、前記研磨面のドレッシングを行うドレッシング装置とを備えたポリッシング装置において、前記研磨面に接触して研磨面のドレッシングを行うドレッサー本体と、該ドレッサー本体をターンテーブルの研磨面に対して押圧する押圧手段と、前記ドレッサー本体の姿勢を制御する姿勢制御手段とを設けたことを特徴とするものである。
【手続補正書】
【提出日】平成15年7月17日(2003.7.17)
【手続補正１】
【補正対象書類名】明細書
【補正対象項目名】請求項８
【補正方法】変更
【補正の内容】
【請求項８】
均一性が、層内の任意の１ｍｍ３体積中のドーパント原子の濃度が他の１ｍｍ３体積の濃度から５〜１０％より大きく異ならないような均一性である、請求項７記載のＣＶＤダイヤモンド層。
【手続補正２】
【補正対象書類名】明細書
【補正対象項目名】請求項１２
【補正方法】変更
【補正の内容】
【請求項１２】
多結晶ダイヤモンドである、請求項１〜９のいずれか１項に記載のＣＶＤダイヤモンド層。
【手続補正３】
【補正対象書類名】明細書
【補正対象項目名】請求項１７
【補正方法】変更
【補正の内容】
【請求項１７】
バッキングが炭化物形成金属及び焼結炭化物から選択される、請求項１６記載のＣＶＤダイヤモンド層。
【手続補正書】
【提出日】平成15年11月12日(2003.11.12)
【手続補正１】
【補正対象書類名】明細書
【補正対象項目名】請求項１
【補正方法】変更
【補正の内容】
【請求項１】
肉箱用電動機の動力で減速機およびクランク機構を介して肉箱を往復動作させ、前記肉箱内に収納した肉塊を丸刃用電動機により回転する丸刃で切載する食肉スライサーにおいて、前記丸刃用電動機が起動し、丸刃が定常回転数に達した以降に、前記肉箱が丸刃に到達する加速時間Ｔ1を設定して肉箱用電動機を制御する速度制御手段を設けたことを特徴とする食肉スライサーの肉箱駆動装置。
【手続補正書】
【提出日】平成15年12月25日(2003.12.25)
【手続補正１】
【補正対象書類名】明細書
【補正対象項目名】請求項３
【補正方法】変更
【補正の内容】
【請求項３】
前記複数の第１及び第２の開口により、前記ハウジング及びカバー板の中心から外方へ放射状に位置する分離された同心円が、それぞれ形成されていることを特徴とする請求項２に記載された工具機構。
【手続補正２】
【補正対象書類名】明細書
【補正対象項目名】請求項５
【補正方法】変更
【補正の内容】
【請求項５】
クランク軸又は類似製品のディープローリング用の工具機構において、
ａ）２つの受容ロールと、
ｂ）前記受容ロールを回転可能に支持する１対の間隔をおいたハブと、
ｃ）Ｌ字形部材を実質的に形成する主ボディとが備えられており、前記Ｌ字形部材が、横方向に間隔をおいた２つの側部を支持し、各側部が、互いに対称的に整列され、各側部が１対の間隔をおいた隆起部を形成し、これらの隆起部が前記ハブを支持することを特徴とする、ディープローリング用の工具機構。
【手続補正３】
【補正対象書類名】明細書
【補正対象項目名】請求項８
【補正方法】変更
【補正の内容】
【請求項８】
クランク軸又は類似製品のディープローリング用の工具機構において、
ａ）環状開口を形成する側部を備えたハウジングと、
ｂ）前記ハウジングの一端に形成されたケージと、
ｃ）前記ケージ内に操作可能に取付けられ、かつ前記クランク軸のフィレットと物理的に接触するように操作可能に外方へ傾斜した作業ロールと、
ｄ）前記ハウジングに前記環状開口のところで固定された少なくとも１つの環状カバー板とが備えられ、このカバー板が複数の開口を有しており、更に、
ｅ）２つの受容ロールと、
ｆ）前記受容ロールを回転可能に支持する１対の間隔をおいたハブと、
ｇ）Ｌ字形部材を実質的に形成する主ボディとが備えられ、前記Ｌ字形部材が、横方向に間隔をおいた２つの側部を支持し、各側部が、互いに対称的に整列され、各側部が１対の間隔をおいた隆起部を形成し、これらの隆起部が前記ハブを支持しており、前記受容ロールが、ディープローリング工程中に、前記作業ロールによる前記接触側とは反対側の前記クランク軸のフィレットと接触することを特徴とする、ディープローリング用の工具機構。
【手続補正４】
【補正対象書類名】明細書
【補正対象項目名】請求項１０
【補正方法】変更
【補正の内容】
【請求項１０】
前記第１及び第２の複数開口が、前記ハウジング及びカバー板の中心から外方へ放射状に位置する分離された同心円を、それぞれ形成していることを特徴とする請求項９に記載された工具機構。
【手続補正書】
【提出日】平成15年11月11日(2003.11.11)
【手続補正１】
【補正対象書類名】明細書
【補正対象項目名】発明の名称
【補正方法】変更
【補正の内容】
【発明の名称】振動型モータの駆動装置


【手続補正２】
【補正対象書類名】明細書
【補正対象項目名】特許請求の範囲
【補正方法】変更
【補正の内容】
【特許請求の範囲】
【請求項１】
振動体に電気−機械エネルギー変換素子部を配し、該電気−機械エネルギー変換素子部に対して周波信号を印加することで、駆動力を得る振動型モータの駆動装置において、
前記電気−機械エネルギー変換素子部に印加される周波信号を、電源電圧に接続された第１のスイッチと第２のスイッチを所定の位相をずらして交互に動作させて形成されたパルス信号を用いて形成する駆動回路と、該パルス信号のパルス幅を変更するパルス幅変更回路を設けたことを特徴とする振動型モータの駆動装置。
【請求項２】
前記パルス幅変更回路は、前記パルス信号のパルス幅を前記電源電圧に応じて変更することを特徴とする請求項１に記載の振動型モータの駆動装置。
【請求項３】
前記パルス幅変更回路は、振動型モータの起動時と停止時には、前記パルス信号のパルス幅を固定することを特徴とする請求項１または２に記載の振動型モータの駆動装置。
【手続補正３】
【補正対象書類名】明細書
【補正対象項目名】００１０
【補正方法】変更
【補正の内容】
【００１０】
【課題を解決するための手段】
本発明は、振動体に電気−機械エネルギー変換素子部を配し、該電気−機械エネルギー変換素子部に対して周波信号を印加することで、駆動力を得る振動型モータの駆動装置において、前記電気−機械エネルギー変換素子部に印加される周波信号を、電源電圧に接続された第１のスイッチと第２のスイッチを所定の位相をずらして交互に動作させて形成されたパルス信号を用いて形成する駆動回路と、該パルス信号のパルス幅を変更するパルス幅変更回路を設けたことを特徴とするものである。


【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００５５
【補正方法】変更
【補正の内容】
【００５５】
【発明の効果】
本発明によれば、駆動回路の電源電圧が変動しても、振動型モータに入力される電力を一定とすることが可能となる。
【手続補正書】
【提出日】平成15年11月20日(2003.11.20)
【手続補正１】
【補正対象書類名】明細書
【補正対象項目名】特許請求の範囲
【補正方法】変更
【補正の内容】
【特許請求の範囲】
【請求項１】
被写体と背景を有する２次元または、３次元の濃淡画像である原画像のシェーディングを補正する画像補正処理方法において、
前記原画像を被写体領域と背景領域とに領域分割する手段（101）と、
前記被写体と前記背景の境界を抽出する手段（102）と、
前記原画像から前記境界の近傍の絵素を等方的に抽出する手段（103）と、
前記抽出された絵素のうち、背景領域の絵素の絵素値を、被写体領域の絵素の絵素値から算出される値で置換し第２の画像を形成する手段（104）と、
前記第２の画像に、低周波通過フィルタを作用させる手段（105）と、
前記低周波通過フィルタ作用後の第３の画像を使って前記原画像の輝度を補正する手段（106）とを含む画像補正処理方法。
【請求項２】
静磁場、傾斜磁場、高周波磁場の各磁場を発生する磁場発生手段と、被検体を構成する組織の原子核スピンに核磁気共鳴を生じさせる高周波磁場を照射するために前記磁場発生手段を制御するシーケンサと、前記被検体から生じた核磁気共鳴信号を検出する手段と、前記核磁気共鳴信号を信号処理して画像を再構成する画像処理手段と、画像を表示する手段とを備えた磁気共鳴イメージング装置において、前記画像処理手段は、前記原画像を被写体領域と背景領域とに領域分割する手段（101）と、前記被写体と前記背景の境界を抽出する手段（102）と、前記原画像から前記境界の近傍の絵素を等方的に抽出する手段（103）と、
前記抽出された絵素のうち、背景領域の絵素の絵素値を、被写体領域の絵素の絵素値から算出される値で置換して第２の画像を形成する手段（104）と、前記第２の画像に、低周波通過フィルタを作用させる手段（105）と、前記低周波通過フィルタ作用後の第３の画像を使って前記原画像の輝度を補正する手段（106）とを含むシェーディング補正手段を備えたことを特徴とする磁気共鳴イメージング装置。
【手続補正２】
【補正対象書類名】明細書
【補正対象項目名】０００８
【補正方法】変更
【補正の内容】
【０００８】
【課題を解決するための手段】
上記課題は、被写体と背景を有する２次元または、３次元の濃淡画像である原画像のシェーディングを補正する画像補正処理方法において、
前記原画像を被写体領域と背景領域とに領域分割する手段（101）と、
前記被写体と前記背景の境界を抽出する手段（102）と、
前記原画像から前記境界の近傍の絵素を等方的に抽出する手段（103）と、
前記抽出された絵素のうち、背景領域の絵素の絵素値を、被写体領域の絵素の絵素値から算出される値で置換し第２の画像を形成する手段（104）と、
前記第２の画像に、低周波通過フィルタを作用させる手段（105）と、
前記低周波通過フィルタ作用後の第３の画像を使って前記原画像の輝度を補正する手段（106）とを含む画像補正処理方法によって解決される。
【手続補正書】
【提出日】平成15年11月12日(2003.11.12)
【手続補正１】
【補正対象書類名】明細書
【補正対象項目名】特許請求の範囲
【補正方法】変更
【補正の内容】
【特許請求の範囲】
【請求項１】
超音波を打ち出すと共にその反射エコーを受信する複数の振動子を備え、この振動子の背面にはバッキング材を有し、且つその前面には音響整合層及び音響レンズを有して成る超音波探触子において、
上記振動子を所定形状の小形ブロック状に形成すると共に、この小形ブロック状の多数の振動子を半球状に突出する球面に形成されたバッキング材の前面側に球面状に配列したことを特徴とする超音波探触子。
【請求項２】
上記振動子は、円板状又は多角形板状に形成され、円板状のもののみ、又は多角形板状のもののみ、或いは円板状と多角形板状とを組み合わせたものを用いて球面状に配列したことを特徴とする請求項１記載の超音波探触子。
【請求項３】
複数の振動子が配列され被検体内へ超音波を送受信する探触子と、この探触子内の各振動子に超音波打ち出しの送信信号を送出する送信部と、上記探触子からの反射エコー信号を整相加算する受信部と、この受信部からの受信信号を処理する信号処理部と、この処理後の受信信号を画像データに変換して記憶する画像記憶部と、この画像記憶部からの画像データを画像として表示する表示部と、を有して成る超音波診断装置において、
上記探触子として、請求項１又は２記載の超音波探触子を用い、その探触子を構成する多数の振動子に上記送信部から同位相の送信信号を送出して指向性を有しない点音源と同等の音場を発生可能とし、上記受信部は探触子からの受信信号により同時に複数本の受信ビームを発生可能としたことを特徴とする超音波診断装置。
【請求項４】
上記画像記憶部は、同時に二次元の断層像を少なくとも２画像以上表示するための画像データ又は三次元の画像を表示するための画像データを記憶するフレームメモリを有することを特徴とする請求項３記載の超音波診断装置。
【手続補正２】
【補正対象書類名】明細書
【補正対象項目名】０００８
【補正方法】変更
【補正の内容】
【０００８】
また、関連発明としての超音波診断装置は、複数の振動子が配列され被検体内へ超音波を送受信する探触子と、この探触子内の各振動子に超音波打ち出しの送信信号を送出する送信部と、上記探触子からの反射エコー信号を整相加算する受信部と、この受信部からの受信信号を処理する信号処理部と、この処理後の受信信号を画像データに変換して記憶する画像記憶部と、この画像記憶部からの画像データを画像として表示する表示部と、を有して成る超音波診断装置において、上記探触子として、上述の手段の超音波探触子を用い、その探触子を構成する多数の振動子に上記送信部から同位相の送信信号を送出して指向性を有しない点音源と同等の音場を発生可能とし、上記受信部は探触子からの受信信号により同時に複数本の受信ビームを発生可能としたものである。


【手続補正３】
【補正対象書類名】明細書
【補正対象項目名】００２３
【補正方法】変更
【補正の内容】
【００２３】
信号処理部１３は、上記受信部１２からの受信信号を処理するもので、メディアン、ＦＦＴ、スムージングなどのフィルタ処理等を行うようになっている。画像記憶部１４は、上記信号処理部１３で処理後の受信信号を画像データに変換し画像処理を行い画像データを記憶するもので、ＲＡＭ等の画像記憶用メモリに保管するようになっている。また、表示部１５は、上記画像記憶部１４からの画像データを画像として表示するもので、画像エンコーダ及びＣＲＴ等を有して成る。
【手続補正書】
【提出日】平成15年11月17日(2003.11.17)
【手続補正１】
【補正対象書類名】明細書
【補正対象項目名】特許請求の範囲
【補正方法】変更
【補正の内容】
【特許請求の範囲】
【請求項１】
プレイフィールド板上で移動体を移動させて所定のゴール開口に入れるゲーム装置において、
前記ゴール開口の下方に設けられた第１コンベアと、
前記第１コンベアの搬出箇所に設けられ前記移動体を１個だけ通過させるゲートと、
前記ゲートを通過した移動体を検知する検知手段とを備えたことを特徴とするゲーム装置。
【請求項２】
前記ゲートの下方に設けられ前記検知手段により検知された前記移動体を受け取り搬送する第２コンベアと、
前記第２コンベアの搬出箇所下方に上流端を有し傾斜して所定位置まで前記移動体を移動させる回収通路とを備え、
前記第２コンベアは前記第１コンベアより高速度で搬送することを特徴とする請求項１記載のゲーム装置。
【請求項３】
前記ゲートは、前記第１コンベアの搬出箇所に立設される板部材であって、前記移動体が１個通過できるゲート開口が前記第１コンベアと同じ高さに形成されたものであることを特徴とする請求項１記載のゲーム装置。
【請求項４】
前記プレイフィールド板の周縁には側レールが立設され、同側レールの左右対称位置に前記ゴール開口が形成されたことを特徴とする請求項１または請求項２記載のゲーム装置。
【請求項５】
前記プレイフィールド板には多数の孔が一面に形成され、前記多数の孔から空気を放出して前記移動体を浮揚させたことを特徴とする請求項１または請求項２記載のゲーム装置。
【請求項６】
前記移動体は、円板状をなすことを特徴とする請求項１または請求項２記載のゲーム装置。
【請求項７】
前記第１コンベアおよび第２コンベアは、ベルトコンベアであることを特徴とする請求項２記載のゲーム装置。
【請求項８】
プレイフィールド板上で移動体を移動させて所定のゴール開口に入れるゲーム装置において、
前記ゴール開口の下方に設けられたコンベアと、
前記コンベアの搬送途上に設けられ前記移動体を１個だけ通過させるゲートと、
前記ゲートを通過した移動体を検知する検知手段とを備えたことを特徴とするゲーム装置。
【手続補正書】
【提出日】平成15年11月26日(2003.11.26)
【手続補正１】
【補正対象書類名】明細書
【補正対象項目名】特許請求の範囲
【補正方法】変更
【補正の内容】
【特許請求の範囲】
【請求項１】
被検体内に超音波を送受信する超音波振動子を配列した探触子と、前記探触子の超音波振動子に送信信号を送り駆動する送信回路と、前記探触子で受信した受信信号を整相加算する受信回路と、前記受信信号から断層像信号を作成する断層像処理回路と、前記受信信号からドプラ信号を抽出し血流信号を作成する血流信号処理回路と、前記断層像信号及び前記血流信号の画像を表示する画像表示装置とを有して成る超音波診断装置において、前記送信信号或いは前記受信信号に重みを付与する複数の重み付け関数を記憶する記憶手段と、前記重み付け関数を任意に選択する重み付け制御手段とを備え、表示モードの切り換えに応じて前記重み付け関数を選択することを特徴とする超音波診断装置。
【手続補正２】
【補正対象書類名】明細書
【補正対象項目名】０００９
【補正方法】変更
【補正の内容】
【０００９】
【課題を解決するための手段】
上記目的を達成するために、本発明による超音波診断装置は、被検体内に超音波を送受信する超音波振動子を配列した探触子と、前記探触子の超音波振動子に送信信号を送り駆動する送信回路と、前記探触子で受信した受信信号を整相加算する受信回路と、前記受信信号から断層像信号を作成する断層像処理回路と、前記受信信号からドプラ信号を抽出し血流信号を作成する血流信号処理回路と、前記断層像信号及び前記血流信号の画像を表示する画像表示装置とを有して成る超音波診断装置において、
前記送信信号或いは前記受信信号に重みを付与する複数の重み付け関数を記憶する記憶手段と、前記重み付け関数を任意に選択する重み付け制御手段とを備え、表示モードの切り換えに応じて前記重み付け関数を選択する。